(57)【要約】【課題】  小型かつ簡素な構成の駆動装置や、当該駆動装置を備える表示装置、複数の当該駆動装置から成る駆動装置複合物、当該駆動装置に備えられる集積回路装置を提供する。【解決手段】  駆動装置１は、表示部に出力する出力信号を生成する集積回路部１０と、集積回路部１０と電気的に接続する配線部２０と、を備える。集積回路部１０は、出力信号を生成する複数の出力回路を備える。配線部２０は、一端部が出力回路に電気的に接続する複数の出力配線２４−１〜２４−３と、出力配線２４−１〜２４−３の他端部に電気的に接続するとともに駆動装置１の外部に出力信号を出力する複数の出力部２３−１〜２３−３と、を備える。出力部２３−１〜２３−３は、所定方向（Ｘ方向）に沿って配置され、複数の出力部２３−１〜２３−３で出力部群Ｇ１〜Ｇ３が構成される。【選択図】  図２
2012242778.tif 000002
【特許請求の範囲】
【請求項１】
表示部に出力する出力信号を生成する集積回路部と、前記集積回路部と電気的に接続する配線部と、を備える駆動装置であって、
前記集積回路部が、前記出力信号を生成する複数の出力回路を備えるとともに、
前記配線部が、一端部が前記出力回路に電気的に接続する複数の出力配線と、前記出力配線の他端部に電気的に接続するとともに前記駆動装置の外部に前記出力信号を出力する複数の出力部と、を備え、
前記出力部が所定方向に沿って配置されるとともに、複数の前記出力部で構成される出力部群が複数備えられ、
隣接する前記出力部群の前記所定方向における離間距離が、前記出力部群内で隣接する前記出力部の前記所定方向における離間距離よりも大きいことを特徴とする駆動装置。
【請求項２】
２つの前記駆動装置について、一方の前記駆動装置が備える少なくとも１つの前記出力部群を、他方の前記駆動装置が備える前記出力部群の間に配置するとき、当該他方の前記駆動装置が備える少なくとも１つの前記出力部群が、一方の前記駆動装置が備える前記出力部群の間に配置されるように、
前記配線部が形成されていることを特徴とする請求項１に記載の駆動装置。
【請求項３】
隣接する前記出力部群の前記所定方向におけるそれぞれの離間距離が、それぞれの前記出力部群の前記所定方向における長さ以上であることを特徴とする請求項１または２に記載の駆動装置。
【請求項４】
２つの前記駆動装置について、一方の前記駆動装置が備えるそれぞれの前記出力部群と、他方の前記駆動装置が備えるそれぞれの前記出力部群と、が互い違いに配置されるように、
前記配線部が形成されていることを特徴とする請求項３に記載の駆動装置。
【請求項５】
前記集積回路部が平面視矩形状であり、
第１出力部群、第２出力部群及び第３出力部群の３つの前記出力部群のそれぞれを構成する前記出力部が、前記集積回路部の第１端辺に対して平行な方向に沿って配置され、
前記集積回路部の前記第１端辺に沿って配置される前記出力回路と、前記第１出力部群を構成する前記出力部とを、前記第１端辺に対して垂直な方向に延伸する前記出力配線が電気的に接続し、
前記集積回路部の前記第１端辺と隣接する第２端辺に沿って配置される前記出力回路と、前記第２出力部群を構成する前記出力部とを、前記第２端辺に対して垂直な方向に延伸して屈曲する前記出力配線が電気的に接続し、
前記集積回路部の前記第１端辺と隣接するとともに前記第２端辺と対向する第３端辺に沿って配置される前記出力回路と、前記第３出力部群を構成する前記出力部とを、前記第３端辺に対して垂直な方向に延伸して屈曲する前記出力配線が電気的に接続する
ことを特徴とする請求項１から４のいずれか１項に記載の駆動装置。
【請求項６】
前記集積回路部が、入力信号を処理して前記出力回路に出力する複数の入力回路をさらに備えるとともに、
前記配線部が、一端部が前記入力回路に電気的に接続する複数の入力配線と、前記入力配線の他端部に電気的に接続するとともに前記駆動装置の外部から前記入力信号が入力される複数の入力部と、をさらに備え、
前記入力部が、前記集積回路部の第１端辺に対して平行な方向に沿って配置され、
前記集積回路部の前記第１端辺と対向する第４端辺に沿って配置される前記入力回路と、前記入力部とを、前記第４端辺に対して垂直な方向に延伸する前記入力配線が電気的に接続する
ことを特徴とする請求項５に記載の駆動装置。
【請求項７】
前記出力配線が屈曲する部分の少なくとも１つに、応力緩和構造を備えることを特徴とする請求項１から６のいずれか１項に記載の駆動装置。
【請求項８】
前記応力緩和構造は、前記出力配線がその延伸方向に垂直な方向に対して局所的に突出するように屈曲した構造であることを特徴とする請求項7に記載の駆動装置。
【請求項９】
請求項１から８のいずれか１項に記載の駆動装置と、
表示素子がマトリクス状に配置され、列方向に並ぶ所定数の前記表示素子が１つの画素を構成する前記表示部と、
を備え、
前記駆動装置が備える１つの前記出力回路は、前記表示部の少なくとも１列に配置される前記表示素子に対して前記出力信号を出力するものであり、
前記表示部が、一行分の前記画素の表示を行うとき、前記駆動装置は、当該画素を構成する所定数の前記表示素子に対応する前記出力信号を、順次出力することを特徴とする表示装置。
【請求項１０】
少なくとも１つの前記出力部群に対して、当該出力部群に接続される前記表示部上の配線の長さに対応した駆動能力を有する出力バッファを備えることを特徴とする請求項９に記載の表示装置。
【請求項１１】
請求項１から８のいずれか１項に記載の少なくとも２つの前記駆動装置と、
少なくとも前記駆動装置のそれぞれの前記出力配線及び前記出力部が同一面上に形成され、長手方向が前記所定方向と平行である長尺状の基材部と、
を備え、
一方の前記駆動装置が備える少なくとも１つの前記出力部群が、他方の前記駆動装置が備える隣接する２つの前記出力部群の間に配置されることを特徴とする駆動装置複合物。
【請求項１２】
表示部に出力する出力信号を生成する複数の出力回路を備える平面視矩形状の集積回路装置であって、
前記出力回路のそれぞれは、前記集積回路装置の３つの端辺に沿って、対応する前記端辺に対してそれぞれの長手方向が垂直になるように配置され、
少なくとも当該３つの端辺に、前記出力回路と電気的に接続するとともに前記集積回路装置の外部に前記出力信号を出力する出力端子が配置されることを特徴とする集積回路装置。
【請求項１３】
入力信号を処理して前記出力回路に出力する入力回路をさらに備え、
前記入力回路は、前記３つの端辺以外の１つの端辺に沿って配置され、
少なくとも当該１つの端辺に、前記入力回路と電気的に接続するとともに前記集積回路装置の外部から前記入力信号が入力される入力端子が配置されることを特徴とする請求項１２に記載の集積回路装置。
【発明の詳細な説明】
【技術分野】
【０００１】
本発明は、表示部に対して出力信号を出力する駆動装置や、当該駆動装置を備える表示装置に関する。また、複数の当該駆動装置が一体化して成る駆動装置複合物や、当該駆動装置が備える集積回路装置に関する。
【背景技術】
【０００２】
液晶表示装置などに代表される表示装置において、製造方法の簡易化や狭額縁化が求められている。具体的に例えば、特許文献１では、ソースドライバに備えられる集積回路部を、表示パネルの端辺に沿って伸びた細長い形状にすることで、狭額縁化を図るとともに、ソースドライバを折り曲げずに表示装置に対して簡易に実装することが、提案されている。
【０００３】
また、図９〜図１１を参照して、上記の細長い形状の集積回路部を備えるソースドライバの構成例について説明する。図９は、従来のソースドライバの構成の一例について示すブロック図である。図１０は、従来のソースドライバの構成の別例について示すブロック図である。また、図１１は、従来のソースドライバの出荷時における形態を示す模式図である。
【０００４】
図９に示すように、ソースドライバ１００は、集積回路部１１０と、配線部１２０と、集積回路部１１０及び配線部１２０が設けられるテープ基材１３０と、を備える。集積回路部１１０は、入力信号を処理する入力回路１１１と、入力回路１１１から入力される信号に応じて出力信号を生成する出力回路１１２と、集積回路部１１０の動作を制御する制御回路１１３と、入力回路１１１と電気的に接続して集積回路部１１０の外部から入力信号が入力される入力端子１１４と、出力回路１１２と電気的に接続して集積回路部１１０の外部に出力信号を出力する出力端子１１５と、を備える。また、配線部１２０は、ソースドライバ１００の外部から入力信号が入力される入力部１２１と、入力部１２１と入力端子１１４とを電気的に接続する入力配線１２２と、ソースドライバ１００の外部に出力信号を出力する出力部１２３と、出力部１２３と出力端子１１５とを電気的に接続する出力配線１２４と、を備える。
【０００５】
図１０に示すソースドライバ２００も同様である。ソースドライバ２００は、集積回路部２１０と、配線部２２０と、集積回路部２１０及び配線部２２０が設けられるテープ基材２３０と、を備える。集積回路部２１０は、入力信号を処理する入力回路２１１と、入力回路２１１から入力される信号に応じて出力信号を生成する出力回路２１２と、集積回路部２１０の動作を制御する制御回路２１３と、入力回路２１１と電気的に接続して集積回路部２１０の外部から入力信号が入力される入力端子２１４と、出力回路２１２と電気的に接続して集積回路部２１０の外部に出力信号を出力する出力端子２１５と、を備える。また、配線部２２０は、ソースドライバ２００の外部から入力信号が入力される入力部２２１と、入力部２２１と入力端子２１４とを電気的に接続する入力配線２２２と、ソースドライバ２００の外部に出力信号を出力する出力部２２３と、出力部２２３と出力端子２１５とを電気的に接続する出力配線２２４と、を備える。
【０００６】
ただし、図９に示すソースドライバ１００は、集積回路部１１０内の出力回路１１２が、集積回路部１１０の長手方向（図中の上下方向）に沿って一列に並ぶ構成である。一方、図１０に示すソースドライバ２００は、集積回路部２２０内の出力回路２１２が、集積回路部２１０の長手方向（図中の上下方向）に沿って二列に並ぶ構成である。
【０００７】
また、図１１に示すように、ソースドライバ３００は、複数のソースドライバ３００を有するソースドライバ複合物３４０をリール３５０に巻き取った状態で、出荷される。ソースドライバ複合物３４０は、当該複数のソースドライバ３００に共通するテープ基材３３０に、それぞれのソースドライバ３００の集積回路部３１０及び配線部３２０を設けたものである。また、ソースドライバ複合物３４０の全体では、複数のソースドライバ３００が、テープ基材３３０の長手方向に沿って一列に並ぶように設けられている。
【０００８】
また、ソースドライバ複合物３４０は、テープ基材３３０の長手方向を巻き取り方向として、リール３５０に巻き取られる。このとき、それぞれのソースドライバ３００の集積回路部３１０は、その長手方向がテープ基材３３０の長手方向に対して垂直になるように、テープ基材３３０に設けられている。そのため、リール３５０にソースドライバ複合物３４０が巻き取られたとしても、集積回路部３１０が受ける応力は低減される。
【０００９】
また、テープ基材３３０の長手方向に対して垂直な方向の両端部には、一列に並ぶ複数のソースドライバ３００を挟むように、テープ基材３３０の長手方向に沿った複数の穴３４１の列が、一列ずつ設けられている。この穴３４１に、例えばスプロケット等の歯を嵌合させて回転させることで、ソースドライバ複合物３４０が送出される。例えば、ソースドライバ複合物３４０からソースドライバ３００を切り抜く際や、ソースドライバ３００の動作をテストする際に、当該送出が行われる。
【先行技術文献】
【特許文献】
【００１０】
【特許文献１】特開平４−２４２９４５号公報
【発明の概要】
【発明が解決しようとする課題】
【００１１】
ところで、昨今の表示装置は、表示パネルの画素数が多くなってきているが、回路規模やコストの増大を抑制するためには、１つの表示装置に備えるソースドライバの数を低減する（特に、集積回路部を１つにする）必要がある。換言すると、図９や図１０に示す出力部１２３，２２３、出力配線１２４，２２４及び出力端子１１５，２１５を、ソースドライバ１００，２００及び集積回路部１１０，２１０に多数備える必要がある。具体的に例えば、表示パネルの画素数が７６８×１３６８（行方向の画素数×列方向の画素数）であり、行方向に並ぶ３つ（Ｒ、Ｇ、Ｂ）の表示素子によって一つの画素が構成される場合、ソースドライバ１００，２００及び集積回路部１１０，２１０は、１３６８×３＝４１０４個もの出力部１２３，２２３、出力配線１２４，２２４及び出力端子１１５，２１５を備える必要がある。
【００１２】
ここで、出力端子１１５，２１５のピッチを２５μｍと仮定すると、図９に示すソースドライバ１００における集積回路部１１０の長手方向の長さは、１０２．６ｍｍとなる。一方、図１０に示すソースドライバ２００における集積回路部２１０の長手方向の長さは、仮に出力端子２１５を集積回路部２１０の対向する２辺に１／２ずつ並べることができたとしても、５１．３ｍｍとなる。
【００１３】
このような大型の集積回路部１１０，２１０は、通常の製造装置で製造可能な集積回路部の大きさ（２０ｍｍ程度）を大きく上回るものであり、製造に際して特殊な装置が必要になる。したがって、集積回路部１１０，２１０の製造の煩雑化や、集積回路部１１０，２１０の高コスト化を招来するため、問題となる。また、集積回路部１１０，２１０の長手方向の長さが大きくなる（アスペクト比が大きくなる）と、集積回路部１１０，２１０の強度低下を招来するため、問題となる。
【００１４】
さらに、図１０に示すように、集積回路部２１０の対向する２辺に出力端子２１５を配置すると、集積回路部２１０の長手方向の長さを短くすることは可能になるが、出力配線２２４（特に、集積回路部２１０の出力部２２３から遠い端辺に配置されている出力端子２１５に接続される出力配線２２４）の引き回しが大きくなることで、配線部２２０及びテープ基材部２３０の面積が大きくなる。したがって、ソースドライバ２００の大型化や、当該ソースドライバ２００を備える表示装置（特に、額縁領域）の大型化、ソースドライバ２００の高コスト化などを招来するため、問題となる。
【００１５】
本発明は、上記の問題点に鑑み、小型かつ簡素な構成の駆動装置や、当該駆動装置を備える表示装置、複数の当該駆動装置から成る駆動装置複合物、当該駆動装置に備えられる集積回路装置を提供することを目的とする。
【課題を解決するための手段】
【００１６】
上記目的を達成するため、本発明は、表示部に出力する出力信号を生成する集積回路部と、前記集積回路部と電気的に接続する配線部と、を備える駆動装置であって、
前記集積回路部が、前記出力信号を生成する複数の出力回路を備えるとともに、
前記配線部が、一端部が前記出力回路に電気的に接続する複数の出力配線と、前記出力配線の他端部に電気的に接続するとともに前記駆動装置の外部に前記出力信号を出力する複数の出力部と、を備え、
前記出力部が所定方向に沿って配置されるとともに、複数の前記出力部で構成される出力部群が複数備えられ、
隣接する前記出力部群の前記所定方向における離間距離が、前記出力部群内で隣接する前記出力部の前記所定方向における離間距離よりも大きいことを特徴とする駆動装置を提供する。
【００１７】
さらに、上記特徴の駆動装置は、２つの前記駆動装置について、一方の前記駆動装置が備える少なくとも１つの前記出力部群を、他方の前記駆動装置が備える前記出力部群の間に配置するとき、当該他方の前記駆動装置が備える少なくとも１つの前記出力部群が、一方の前記駆動装置が備える前記出力部群の間に配置されるように、
前記配線部が形成されていると、好ましい。
【００１８】
さらに、上記特徴の駆動装置は、隣接する前記出力部群の前記所定方向におけるそれぞれの離間距離が、それぞれの前記出力部群の前記所定方向における長さ以上であると、好ましい。
【００１９】
さらに、上記特徴の駆動装置は、２つの前記駆動装置について、一方の前記駆動装置が備えるそれぞれの前記出力部群と、他方の前記駆動装置が備えるそれぞれの前記出力部群と、が互い違いに配置されるように、
前記配線部が形成されていると、好ましい。
【００２０】
さらに、上記特徴の駆動装置は、前記集積回路部が平面視矩形状であり、
第１出力部群、第２出力部群及び第３出力部群の３つの前記出力部群のそれぞれを構成する前記出力部が、前記集積回路部の第１端辺に対して平行な方向に沿って配置され、
前記集積回路部の前記第１端辺に沿って配置される前記出力回路と、前記第１出力部群を構成する前記出力部とを、前記第１端辺に対して垂直な方向に延伸する前記出力配線が電気的に接続し、
前記集積回路部の前記第１端辺と隣接する第２端辺に沿って配置される前記出力回路と、前記第２出力部群を構成する前記出力部とを、前記第２端辺に対して垂直な方向に延伸して屈曲する前記出力配線が電気的に接続し、
前記集積回路部の前記第１端辺と隣接するとともに前記第２端辺と対向する第３端辺に沿って配置される前記出力回路と、前記第３出力部群を構成する前記出力部とを、前記第３端辺に対して垂直な方向に延伸して屈曲する前記出力配線が電気的に接続すると、好ましい。
【００２１】
さらに、上記特徴の駆動装置は、前記集積回路部が、入力信号を処理して前記出力回路に出力する複数の入力回路をさらに備えるとともに、
前記配線部が、一端部が前記入力回路に電気的に接続する複数の入力配線と、前記入力配線の他端部に電気的に接続するとともに前記駆動装置の外部から前記入力信号が入力される複数の入力部と、をさらに備え、
前記入力部が、前記集積回路部の第１端辺に対して平行な方向に沿って配置され、
前記集積回路部の前記第１端辺と対向する第４端辺に沿って配置される前記入力回路と、前記入力部とを、前記第４端辺に対して垂直な方向に延伸する前記入力配線が電気的に接続すると、好ましい。
【００２２】
さらに、上記特徴の駆動装置は、前記出力配線が屈曲する部分の少なくとも１つに、応力緩和構造を備えると、好ましい。
【００２３】
さらに、上記特徴の駆動装置の前記応力緩和構造は、前記出力配線がその延伸方向に垂直な方向に対して局所的に突出するように屈曲した構造であると、好ましい。
【００２４】
また、本発明は、上記特徴の駆動装置と、
表示素子がマトリクス状に配置され、列方向に並ぶ所定数の前記表示素子が１つの画素を構成する前記表示部と、
を備え、
前記駆動装置が備える１つの前記出力回路は、前記表示部の少なくとも１列に配置される前記表示素子に対して前記出力信号を出力するものであり、
前記表示部が、一行分の前記画素の表示を行うとき、前記駆動装置は、当該画素を構成する所定数の前記表示素子に対応する前記出力信号を、順次出力することを特徴とする表示装置を提供する。
【００２５】
さらに、上記特徴の表示装置は、少なくとも１つの前記出力部群に対して、当該出力部群に接続される前記表示部上の配線の長さに対応した駆動能力を有する出力バッファを備えると、好ましい。
【００２６】
また、本発明は、上記特徴の少なくとも２つの駆動装置と、
少なくとも前記駆動装置のそれぞれの前記出力配線及び前記出力部が同一面上に形成され、長手方向が前記所定方向と平行である長尺状の基材部と、
を備え、
一方の前記駆動装置が備える少なくとも１つの前記出力部群が、他方の前記駆動装置が備える隣接する２つの前記出力部群の間に配置されることを特徴とする駆動装置複合物を提供する。
【００２７】
また、本発明は、表示部に出力する出力信号を生成する複数の出力回路を備える平面視矩形状の集積回路装置であって、
前記出力回路のそれぞれは、前記集積回路装置の３つの端辺に沿って、対応する前記端辺に対してそれぞれの長手方向が垂直になるように配置され、
少なくとも当該３つの端辺に、前記出力回路と電気的に接続するとともに前記集積回路装置の外部に前記出力信号を出力する出力端子が配置されることを特徴とする集積回路装置を提供する。
【００２８】
さらに、上記特徴の集積回路装置は、入力信号を処理して前記出力回路に出力する入力回路をさらに備え、
前記入力回路は、前記３つの端辺以外の１つの端辺に沿って配置され、
少なくとも当該１つの端辺に、前記入力回路と電気的に接続するとともに前記集積回路装置の外部から前記入力信号が入力される入力端子が配置されると、好ましい。
【発明の効果】
【００２９】
上記特徴の駆動装置では、出力部群が離間して配置される。そのため、出力配線を無理に大きく引き回すことなく、出力部群を構成する出力部と集積回路部の出力回路とを電気的に接続することが可能になる。したがって、駆動装置の小型化及び簡素化を図ることができる。
【図面の簡単な説明】
【００３０】
【図１】本発明の実施形態に係る集積回路装置の一例を示すブロック図
【図２】本発明の実施形態に係る駆動装置の一例を示す模式的な平面図
【図３】本発明の実施形態に係る駆動装置複合物の一例を示す模式図
【図４】本発明の実施形態に係る表示装置の一例を示す模式的な平面図
【図５】図４に示す表示部の構成の一例を示す回路図
【図６】本発明の実施形態に係る集積回路装置の変形例を示すブロック図
【図７】本発明の実施形態に係る駆動装置の変形例の要部を示す模式的な平面図
【図８】本発明の実施形態に係る表示装置の変形例を示す模式的な平面図
【図９】従来のソースドライバの構成の一例について示すブロック図である。
【図１０】従来のソースドライバの構成の別例について示すブロック図である。
【図１１】従来のソースドライバの出荷時における形態を示す模式図である。
【発明を実施するための形態】
【００３１】
本発明の実施形態に係る集積回路装置や駆動装置、駆動装置複合物、表示装置のそれぞれについて、以下図面を参照して説明する。なお、以下では説明の具体化のため、本実施形態に係る駆動装置が、液晶表示装置のソースドライバに適用される場合について例示するが、本発明の駆動装置は、液晶表示装置のソースドライバ以外にも適用可能である。
【００３２】
＜集積回路装置＞
最初に、本発明の実施形態に係る集積回路装置の一例について、図面を参照して説明する。図１は、本発明の実施形態に係る集積回路装置の一例を示すブロック図である。
【００３３】
図１に示すように、集積回路装置１０は、入力信号を処理する入力回路１１と、入力回路１１から入力される信号に応じて出力信号を生成する出力回路１２−１〜１２−３と、集積回路装置１０の動作を制御する制御回路１３と、入力回路１１と電気的に接続して集積回路装置１０の外部から入力信号が入力される入力端子１４と、出力回路１２と電気的に接続して集積回路装置１０の外部に出力信号を出力する出力端子１５−１〜１５−３と、入力回路１１から入力される信号に応じて同期信号を生成するタイミングコントローラ１６と、を備える。
【００３４】
入力回路１１は、入力端子１４を介して入力される入力信号（例えば、映像信号）を処理して、出力回路１２−１〜１２−３とタイミングコントローラ１６とに所定の信号を入力する。例えば、入力回路１１は、表示装置で表示されるべき画像を示す信号を、出力回路１２−１〜１２−３のそれぞれに分配して出力する。また例えば、入力回路１１は、表示装置の動作タイミングを示す信号を、タイミングコントローラ１６に出力する。
【００３５】
出力回路１２−１〜１２−３は、入力回路１１から入力される上記の信号に応じて、表示部の各画素に与える出力信号を生成する。そして、出力回路１２−１〜１２−３が生成する出力信号は、出力端子１５−１〜１５−３を介して、集積回路装置１０の外部に出力される。
【００３６】
制御回路１３は、タイミングコントローラ１６が生成する同期信号を参照して、集積回路装置１０の動作を制御する。例えば、出力端子１５−１〜１５−３から出力信号が出力されるタイミングを制御する。
【００３７】
また、図１に例示する集積回路装置１０は、平面視矩形状である。出力回路１２−１〜１２−３は、集積回路装置１０の３つの端辺に沿って配置される。また、出力回路１２−１〜１２−３のそれぞれの長手方向は、対応する集積回路装置１０の端辺に対して垂直になる。また、少なくとも当該３つの端辺には、出力回路１２−１に電気的に接続される出力端子１５−１と、出力回路１２−２に電気的に接続される出力端子１５−２と、出力回路１２−３に電気的に接続される出力端子１５−３と、が配置される。
【００３８】
入力回路１１は、集積回路装置１０の上記３つの端辺以外の１つの端辺に沿って配置される。また、少なくとも当該１つの端辺には、入力回路１１に電気的に接続される入力端子１４が配置される。
【００３９】
具体的に図１に示す例では、集積回路装置１０の、入力回路１１及び入力端子１４が配置される端辺（図中下側の端辺）に対向する端辺（図中上側の端辺）に、出力回路１２−１及び出力端子１５−１が配置される。また、集積回路装置１０の、出力回路１２−１及び出力端子１５−１が配置される端辺（図中上側の端辺）に隣接する一方の端辺（図中左側の端辺）に、出力回路１２−２及び出力端子１５−２が配置される。また、集積回路装置１０の、出力回路１２−１及び出力端子１５−１が配置される端辺（図中上側の端辺）に隣接するとともに、出力回路１２−２及び出力端子１５−２が配置される端辺（図中左側の端辺）に対向する端辺（図中右側の端辺）に、出力回路１２−３及び出力端子１５−３が配置される。
【００４０】
制御回路１３及びタイミングコントローラ１６は、集積回路装置１０内の空いた領域に配置される。図１に示す例では、タイミングコントローラ１６が、出力回路１２−２及び出力回路１２−３に挟まれた領域に配置されている。また、出力回路１２−１〜１２−３及びタイミングコントローラ１６が配置されていない領域に、制御回路１３が配置されている。
【００４１】
本実施形態の集積回路装置１０によれば、３つの端辺に沿って、出力回路１２−１〜１２−３及び出力端子１５−１〜１５−３が配置される。そのため、集積回路装置１０が備える出力回路１２−１〜１２−３の数が多数になる場合に、集積回路装置１０の形状を、従来のような細長い形状（図９及び図１０参照）から、正方形に近づける（アスペクト比を小さくする）ことが可能になる。したがって、集積回路装置１０を、応力に耐性のある形状にすることができる。
【００４２】
また、本実施形態の集積回路装置１０によれば、集積回路装置１０内に、タイミングコントローラ１６を配置することが可能になる。そのため、タイミングコントローラ１６から集積回路装置１０に信号を伝達するための構成を、不要にすることができる。したがって、駆動装置の小型化及び簡素化を図ることができる。
【００４３】
＜駆動装置＞
次に、本発明の実施形態に係る駆動装置の一例について、図面を参照して説明する。図２は、本発明の実施形態に係る駆動装置の一例を示す模式的な平面図である。
【００４４】
図２に示すように、駆動装置１は、上述の集積回路装置である集積回路部１０と、配線部２０と、集積回路部１０及び配線部２０が設けられる基材部３０と、を備える。配線部２０は、駆動装置１の外部から入力信号が入力される入力部２１と、入力部２１と集積回路部１０の入力端子１４とを電気的に接続する入力配線２２と、駆動装置１の外部に出力信号を出力する出力部２３−１〜２３−３と、出力部２３−１〜２３−３と集積回路部１０の出力端子１５−１〜１５−３とを電気的に接続する出力配線２４−１〜２４−３と、を備える。
【００４５】
出力部２３−１〜２３−３は、同一の方向（以下、Ｘ方向とする）に沿って整列するとともに、複数の出力部２３−１〜２３−３が出力部群Ｇ１〜Ｇ３を構成する。例えば、図２に示す駆動装置１では、出力部２３−１が出力部群Ｇ１を構成し、出力部２３−２が出力部群Ｇ２を構成し、出力部２３−３が出力部群Ｇ３を構成している。また、隣接する出力部群Ｇ１〜Ｇ３のＸ方向における離間距離は、出力部群Ｇ１〜Ｇ３内で隣接する出力部２３−１〜２３−３のＸ方向における離間距離よりも大きい。即ち、出力部群Ｇ１〜Ｇ３は、離間して配置されている。
【００４６】
具体的に、図２に示す例では、出力部群Ｇ１〜Ｇ３のそれぞれを構成する出力部２３−１〜２３−３が、集積回路部１０の出力端子１５−１が配置される端辺（図中上側の端辺）に対して平行な方向（Ｘ方向）に沿って整列配置する。さらに、当該端辺に対して垂直な方向（Ｙ方向）に延伸する出力配線２４−１が、出力部群Ｇ１を構成する出力部２３−１と集積回路部１０の出力端子１５−１とを電気的に接続する。
【００４７】
また、集積回路部１０の出力端子１５−２が配置される端辺（図中左側の端辺）に対して垂直な方向（Ｘ方向）に延伸した後、屈曲して最終的に当該方向に対して垂直な方向（Ｙ方向）に延伸する出力配線２４−２が、出力部群Ｇ２を構成する出力部２３−２と集積回路部１０の出力端子１５−２とを電気的に接続する。また、集積回路部１０の出力端子１５−３が配置される端辺（図中右側の端辺）に対して垂直な方向（Ｘ方向）に延伸した後、屈曲して最終的に当該方向に対して垂直な方向（Ｙ方向）に延伸する出力配線２４−３が、出力部群Ｇ３を構成する出力部２３−３と集積回路部１０の出力端子１５−３とを電気的に接続する。
【００４８】
また、集積回路部１０の入力端子１４が配置される端辺（図中下側の端辺）に対して垂直な方向（Ｙ方向）に延伸する入力配線２２が、入力部２１と集積回路部１０の入力端子１４とを電気的に接続する。
【００４９】
また、図２に示す駆動装置１では、出力配線２４−１〜２４−３の間隔が、集積回路部１０側では狭く、出力部２３−１〜２３−３側では広くなっている。同様に、入力配線２２２の間隔が、集積回路部１０側では狭く、入力部２１側では広くなっている。
【００５０】
本実施形態の駆動装置１によれば、出力部群Ｇ１〜Ｇ３が離間して配置される。そのため、出力配線２４−１〜２４−３を無理に大きく引き回すことなく、出力部群Ｇ１〜Ｇ３を構成する出力部２３−１〜２３−３と集積回路部１０の出力端子１５−１〜１５−３（出力回路１２−１〜１２−３）とを電気的に接続することが可能になる。したがって、駆動装置１の小型化及び簡素化を図ることができる。
【００５１】
＜駆動装置複合物＞
次に、本発明の実施形態に係る駆動装置複合物の一例について、図面を参照して説明する。図３は、本発明の実施形態に係る駆動装置複合物の一例を示す模式図である。なお、図３に示す駆動装置複合物４０は、例えば、上述の駆動装置１の出荷時における形態である。
【００５２】
図３に示すように、駆動装置複合物４０は、上述の駆動装置１を少なくとも２つ備える。駆動装置複合物４０は、駆動装置１の出力部２３−１〜２３−３が整列する方向（図２のＸ方向）に対して長手方向が平行である長尺状の基材部３０の同一面上に、少なくとも駆動装置１の集積回路部１０及び配線部２０が設けられたものである。また、駆動装置複合物４０は、基材部３０の長手方向（図２のＸ方向）を巻き取り方向として、リール５０に巻き取られる。
【００５３】
また、基材部３０の長手方向に対して垂直な幅方向（図２のＹ方向に相当）の両端部には、複数の駆動装置１を挟むように、基材部３０の長手方向に沿った複数の穴４１の列が、一列ずつ設けられている。この穴４１に、例えばスプロケット等の歯を嵌合させて回転させることで、駆動装置複合物４０が送出される。例えば、駆動装置複合物４０から駆動装置１を切り抜く際や、駆動装置１の動作をテストする際に、当該送出が行われる。
【００５４】
また、駆動装置複合物４０において、一方の駆動装置１が備える少なくとも１つの出力部群Ｇ１〜Ｇ３は、他方の駆動装置１が備える隣接した出力部群Ｇ１〜Ｇ３の間に配置される。
【００５５】
具体的に、図３に示す例では、一方の駆動装置１が備える出力部群Ｇ１が、他方の駆動装置１が備える隣接した出力部群Ｇ１，Ｇ３の間に配置されている。さらに、一方の駆動装置１が備える出力部群Ｇ３が、他方の駆動装置１が備える隣接した出力部群Ｇ１，Ｇ２の間に配置されている。即ち、一方の駆動装置１が備える出力部群Ｇ１〜Ｇ３と、他方の駆動装置１が備える出力部群Ｇ１〜Ｇ３と、が互い違いに配置されている。例えば、このような配置は、図２に示す駆動装置１において、隣接する出力部群Ｇ１〜Ｇ３のＸ方向におけるそれぞれの離間距離が、それぞれの出力部群Ｇ１〜Ｇ３のＸ方向における長さ以上であれば、可能である。
【００５６】
また、図３に示す駆動装置複合物４０は、上記のように出力部群Ｇ１〜Ｇ３が嵌合した駆動装置１が、基材部３０の長手方向に沿って２列に並んで成る。
【００５７】
本実施形態の駆動装置複合物４０によれば、一方の駆動装置１が備える少なくとも１つの出力部群Ｇ１〜Ｇ３が、他方の駆動装置１が備える出力部群Ｇ１〜Ｇ３の間に配置される。そのため、これらの２つの駆動装置１が、基材部３０の幅方向において、近接して配置される。したがって、基材部３０の幅方向の長さを小さくすることが可能になる。
【００５８】
なお、図３において、駆動装置複合物４０が、リール５０に巻き取られるものとして説明したが、リール５０に巻き取られないものとしても良い。例えば、駆動装置複合物４０が、出力部群Ｇ１〜Ｇ３が嵌合した少なくとも２つの駆動装置１を有した短冊状であっても良い。
【００５９】
＜表示装置＞
次に、本発明の実施形態に係る表示装置の一例について、図面を参照して説明する。図４は、本発明の実施形態に係る表示装置の一例を示す模式的な平面図である。図５は、図４に示す表示部の構成の一例を示す回路図である。
【００６０】
図４に示すように、表示装置６０は、上述の駆動装置１と、駆動装置１の入力端子１４と電気的に接続するとともに駆動装置１に入力信号を入力する信号線７０と、画像を表示する表示部８０と、表示部８０に駆動信号を印加するゲートドライバ９１，９２と、を備える。ゲートドライバ９１は、表示部８０上のゲートドライバ接続配線８１によって駆動装置１（特に、タイミングコントローラ１６）と電気的に接続される。また、ゲートドライバ９２は、表示部８０上のゲートドライバ接続配線８２によって、ゲートドライバ９１と電気的に接続される。
【００６１】
また、図５に示すように、表示部８０は、列方向（図４及び図５の上下方向）に延伸するそれぞれ平行な複数のソースラインＳＬと、ソースラインＳＬが延伸する方向に対して垂直な方向（行方向、図４及び図５の左右方向）に延伸するそれぞれ平行な複数のゲートラインＧＬｒ，ＧＬｇ，ＧＬｂと、１つのソースラインＳＬ及び１つのゲートラインＧＬｒ，ＧＬｇ，ＧＬｂに接続する表示素子Ｅと、を備える。駆動装置１が出力する出力信号は、ソースラインＳＬに印加される。一方、ゲートドライバ９１，９２が出力する駆動信号は、ゲートラインＧＬｒ，ＧＬｇ，ＧＬｂに印加される。
【００６２】
表示素子Ｅは、液晶素子Ｌと、トランジスタ素子（例えば、ＴＦＴ：Thin Film Transistor）Ｔと、を備える。トランジスタ素子Ｔは、ゲートラインＧＬｒ，ＧＬｇ，ＧＬｂに制御端子が接続し、ソースラインＳＬに第１端子が接続する。液晶素子Ｌは、トランジスタ素子Ｔの第２端子に一端が接続され、共通信号が印加される共通電極に他端が接続される。また、同じソースラインＳＬに接続されるとともに、異なるゲートラインＧＬｒ，ＧＬｇ，ＧＬｂに接続されて列方向に並ぶ複数（本例では３つ）の表示素子Ｅが、１つの画素Ｐを構成する。
【００６３】
上述のように、駆動装置１の出力回路１２−１〜１２−３は、信号線７０を介して入力される入力信号に応じて、出力信号を生成する。また、駆動装置１のタイミングコントローラ１６は、入力信号に応じて同期信号を生成する。この同期信号は、ゲートドライバ接続配線８１，８２を介して、ゲートドライバ９１，９２に入力される。
【００６４】
ゲートドライバ９１，９２は、入力される同期信号に応じて、ゲートラインＧＬｒ，ＧＬｇ，ＧＬｂに駆動信号を順次印加する。この駆動信号が印加されたゲートラインＧＬｒ，ＧＬｇ，ＧＬｂに制御端子が接続されるトランジスタ素子Ｔは、ＯＮになる。すると、駆動装置１によってソースラインＳＬに印加されている出力信号が、ＯＮになったトランジスタ素子Ｔを介して液晶素子Ｌに入力され、液晶素子Ｌが当該出力信号を保持する。そして、表示部８０が、液晶素子Ｌが保持する出力信号に応じた画像を表示する。
【００６５】
図５に示すように、列方向に並ぶ所定数（本例では３つ）の表示素子Ｅによって１つの画素Ｐが構成される場合、表示部８０が１行分の画素Ｐを表示するときに、駆動装置１は、画素Ｐを構成する所定数（本例では３つ）の表示素子Ｅに対応する出力信号を、順次出力する。同様に、ゲートドライバ９１，９２も、画素Ｐを構成する所定数（本例では３つ）の表示素子Ｅに対応する駆動信号を、順次出力する。
【００６６】
本実施形態の表示装置６０によれば、駆動装置１が出力信号を印加するソースラインＳＬに沿って隣接する複数の表示装置Ｅが、１つの画素Ｐを構成する。そのため、駆動装置１が備える出力部２３−１〜２３−３、出力配線２４−１〜２４−３及び出力端子１５−１〜１５−３の数を、低減することができる。
【００６７】
具体的に例えば、表示部８０の画素数が７６８×１３６８（列方向の画素数×行方向の画素数）であり、列方向に並ぶ３つ（Ｒ、Ｇ、Ｂ）の表示素子Ｅによって一つの画素Ｐが構成される場合、駆動装置１及び集積回路部１０は、１３６８個の出力部２３−１〜２３−３、出力配線２４−１〜２４−３及び出力端子１５−１〜１５−３を備えれば良いことになる。
【００６８】
さらに、出力部２３−１〜２３−３、出力配線２４−１〜２４−３及び出力端子１５−１〜１５−３は、複数（例えば３つ）の箇所に分けて配置される。そのため、１つの箇所に配置される出力部２３−１〜２３−３、出力配線２４−１〜２４−３及び出力端子１５−１〜１５−３は、さらに少なくなる（例えば、１つの箇所当たり４５６）。したがって、駆動装置１及び集積回路部１０を、小型化することが可能になる。
【００６９】
また、本実施形態の表示装置６０によれば、駆動装置１の出力部２３−１〜２３−３が、離間して配置されている。そのため、絞り込み部（駆動装置１の出力部２３−１〜２３−３とソースラインＳＬとを接続する接続用配線が設けられる表示部８０上の領域）における接続用配線の密度が、出力部を離間させない駆動装置を適用する場合よりも小さくなる。したがって、この絞り込み部の接続用配線の密度が下がる分だけ、当該絞り込み部を狭くする（特に、列方向に対して狭くする）ことが可能になる。
【００７０】
なお、図４及び図５では、列方向に隣接した所定数（上記例では３つ）の表示素子Ｅによって１つの画素Ｐが構成される表示装置６０について例示したが、行方向に隣接した所定数の表示素子によって１つの画素が構成される表示装置にも、上述の駆動装置１を適用することができる。ただし、後者の表示装置に上述の駆動装置１を適用する場合、前者の表示装置に適用する場合と比較して、所定数倍（上記例では３倍）の出力部、出力配線及び出力端子が必要になる。また、直線状に隣接した所定数の表示素子によって１つの画素が構成される表示装置に限られず、平面状に隣接する（例えば、行方向に２個、列方向に２個隣接する）表示素子によって１つの画素が構成される表示装置などにも、上述の駆動装置１を適用することができる。
【００７１】
＜変形例＞
［１］  図１に例示する集積回路装置１０は、出力端子１５−１〜１５−３のそれぞれが、集積回路装置１０の対応する端辺にそれぞれ配置される構造であるが、隣接する複数の端辺にわたって配置される構造であっても良い。この具体例について、図６を参照して説明する。図６は、本発明の実施形態に係る集積回路装置の変形例を示すブロック図である。なお、図６に示す集積回路装置１０ａにおいて、図１に示す集積回路装置１０と同様となる部分については、同じ符号を付している。また、以下では、図６に示す集積回路装置１０ａについて、図１に示す集積回路装置１０と異なる部分を中心に説明する。
【００７２】
図６に示す集積回路装置１０ａは、出力端子１５−１ａが、出力回路１２−１が沿う端辺（図中上側の端辺）だけでなく、出力回路１２−２が沿う端辺（図中左側の端辺）や出力回路１２−３が沿う端辺（図中右側の端辺）にも配置される。また、出力端子１５−２ａが、出力回路１２−２が沿う端辺（図中左側の端辺）だけでなく、入力回路１１が沿う端辺（図中下側の端辺）にも配置される。また、出力端子１５−３が、出力回路１２−３が沿う端辺（図中右側の端辺）だけでなく、入力回路１１が沿う端辺（図中下側の端辺）にも配置される。
【００７３】
このように構成すると、駆動装置１が備える出力配線２４−１〜２４−３の引き回しが大きくなることを抑制しつつ、出力端子１５−１ａ〜１５−３ａの配置の自由度を高めることができる。そのため、集積回路装置１０ａの小型化や簡素化を図ることができる。なお、必ずしも全ての出力端子１５−１ａ〜１５ａ−３ａを、上記のように隣接する複数の端辺にわたって配置する必要はない。即ち、出力端子１５−１ａ〜１５ａ−３ａの少なくとも１つを、図１の集積回路装置１０と同様に１つの端辺に配置されるようにしても良い。
【００７４】
［２］  図２に例示する駆動装置１は、出力配線２４−２，２４−３のそれぞれが出力部２３−２，２３−３に向かって垂直に屈曲する構造であるが、この屈曲する部分に、応力を緩和する構造（応力緩和構造）を設けても良い。この具体例について、図７を参照して説明する。図７は、本発明の実施形態に係る駆動装置の変形例の要部を示す模式的な平面図である。なお、図７に示す駆動装置１ａにおいて、図２に示す駆動装置１と同様の部分については、同じ符号を付している。また、以下では、図７に示す駆動装置１ａについて、図２に示す駆動装置１と異なる部分を中心に説明する。
【００７５】
図７に示す駆動装置１ａでは、出力配線２４−２の屈曲する部分（例えば、出力部２３−２側）に、出力配線２４−２がその延伸方向に垂直な方向に対して局所的に突出するように屈曲する突出部２５が、設けられている。この出力配線２４−２の屈曲する部分は、例えば、駆動装置１ａの表示装置への実装や、実装後の基材部３０の収縮等によって、応力を受け易い。しかし、当該部分に突出部２５を設けることで、当該応力を緩和することが可能になる。そのため、出力配線２４−２に断線等が生じることを、抑制することが可能になる。
【００７６】
なお、出力配線２４−３の屈曲する部分にも、図７の突出部２５と同様の突出部を設けると、好ましい。また、図７に示すように、少なくとも、基材部３０の長手方向と平行な方向に突出する突出部２５を、出力配線２４−２，２４−３の出力部２３−２，２３−３側にそれぞれ設けると、好ましい。
【００７７】
また、応力緩和構造として、上述した突出部２５以外の構造を採用しても良い。例えば、出力配線２４−２の延伸方向に垂直な方向に対して局所的に窪む切り欠き部を、応力緩和構造として採用しても良い。また、図７において、１本の出力配線に対して１つの突出部２５を設ける場合について例示したが、１本の出力配線に対して複数の突出部２５を、設けても良い。さらにこの場合、１本の出力配線に対して、異なる複数の応力緩和構造を設けても良い。
【００７８】
［３］  図４に示す表示装置６０のように、表示部８０の行方向における中央位置に駆動装置１を配置すると、出力部２３−２，２３−３に接続される表示部８０上の配線（例えば、絞り込み部の接続用配線やソースラインＳＬなど。以下、表示部配線とする。）の長さが、出力部２３−１に接続される表示部配線の長さよりも、全体的に長くなる。これにより、出力部２３−２，２３−３に接続される表示部配線の負荷容量が、出力部２３−１に接続される表示部配線の負荷容量よりも大きくなることで、出力部２３−２，２３−３に接続される表示部配線への駆動信号の印加が遅れる場合がある。例えば、列方向に隣接した所定数の表示素子Ｅによって１つの画素Ｐが構成される場合や、表示装置が大型である場合には、この問題が生じる可能性が高くなる。
【００７９】
そこで、例えば、出力回路１２−１に含まれる出力バッファの駆動能力と、出力回路１２−２，１２−３に含まれる出力バッファの駆動能力とを、それぞれ表示部配線の長さに応じたものにする（後者の出力バッファの駆動能力が前者の出力バッファの駆動能力よりも大きくなるようにする）。これにより、出力部２３−２，２３−３に接続される表示部配線に対する駆動信号の印加の遅れを、解消することが可能になる。
【００８０】
なお、上記のように出力バッファの駆動能力を調整すると、出力回路１２−１〜１２−３の大きさが相対的に変動し得る。しかし、それぞれの出力回路１２−１〜１２−３は、集積回路部１０のそれぞれの端辺に沿って配置されているため、集積回路部１０内に無駄なスペースが生じることは抑制される。
【００８１】
また、この問題の別の解決方法について、図面を参照して説明する。図８は、本発明の実施形態に係る表示装置の変形例を示す模式的な平面図である。なお、図８に示す表示装置６０ａにおいて、図４に示す表示装置６０と同様となる部分については、同じ符号を付している。また、以下では、図８に示す表示装置６０ａについて、図４に示す表示装置６０と異なる部分を中心に説明する。
【００８２】
図８に示す表示装置６０ａは、表示部配線の長さに応じた駆動能力を有する出力バッファＢ１〜Ｂ３を備える。出力バッファＢ１は、駆動装置１の出力部２３−１と表示部配線との間に配置され、出力バッファＢ２は、駆動装置１の出力部２３−２と表示部配線との間に配置され、出力バッファＢ３は、駆動装置１の出力部２３−３と表示部配線との間に配置される。また、出力バッファＢ２，Ｂ３の駆動能力は、出力バッファＢ１の駆動能力よりも大きいものである。
【００８３】
このように構成すると、出力バッファＢ１〜Ｂ３を別途備えることで、部品点数は増加するが、出力部２３−２，２３−３に接続される表示部配線に対する駆動信号の印加の遅れを解消することが可能になる。さらにこの場合、上記のような出力回路１２−１〜１２−３の変更を、不要にすることができる。
【産業上の利用可能性】
【００８４】
本発明は、液晶表示装置に代表される表示装置や、当該表示装置が備える表示部に対して出力信号を出力する駆動装置、当該駆動装置に備えられる集積回路装置に、利用可能である。また、複数の駆動装置が一体化して成る駆動装置複合物に、利用可能である。
【符号の説明】
【００８５】
１，１ａ  ：  駆動装置（ソースドライバ）
１０，１０ａ  ：  集積回路装置（集積回路部）
１１：  入力回路
１２−１〜１２−３：  出力回路
１３：  制御回路
１４：  入力端子
１５−１〜１５−３，１５−１ａ〜１５−３ａ：  出力端子
１６  ：  タイミングコントローラ
２０  ：  配線部
２１  ：  入力部
２２  ：  入力配線
２３−１〜２３−３  ：  出力部
２４−１〜２４−３  ：  出力配線
２５  ：  突出部
３０  ：  基材部
４０  ：  駆動装置複合物
４１  ：  穴
５０  ：  リール
６０，６０ａ  ：  表示装置
７０  ：  信号線
８０  ：  表示部
８１，８２  ：  ゲートドライバ接続配線
９１，９２  ：  ゲートドライバ
Ｂ１〜Ｂ３  ：  バッファ
Ｅ  ：  表示素子
Ｐ  ：  画素
ソースライン  ：  ＳＬ
ゲートライン  ：  ＧＬｒ，ＧＬｇ，ＧＬｂ
【図１】
2012242778.tif 000003
【図２】
2012242778.tif 000004
【図３】
2012242778.tif 000005
【図４】
2012242778.tif 000006
【図５】
2012242778.tif 000007
【図６】
2012242778.tif 000008
【図７】
2012242778.tif 000009
【図８】
2012242778.tif 000010
【図９】
2012242778.tif 000011
【図１０】
2012242778.tif 000012
【図１１】
2012242778.tif 000013